(57)【要約】      （修正有）【課題】高さ寸法や幅寸法が異なる複数の被収納物を収納することができ、各被収納物をカートンにおける筒状体の内部に保持することができるとともに、材料の節約を図るカートンを提供する。【解決手段】頂壁２Ａ、一対の側壁２Ｂ、底壁２Ｄを構成する各壁パネル２のうち１つの頂壁２Ａは、頂壁２Ａに隣位する両側壁２Ｂ等との境界に位置する両端縁を跨ぐ頂壁分断線によって分断され、この分断された頂壁分断パネル２Ａａ、２Ａｂは、底壁２Ｄからの距離寸法が異なるように階段状に配置される。【選択図】図２
0003171380.tif 000002
【実用新案登録請求の範囲】
【請求項１】
頂壁、一対の側壁、および底壁をそれぞれ構成する各壁パネルが順次連設され、両端が開口されて、内部に複数の収納物を収納する筒状体と、前記筒状体における前記開口側の側縁に設けられ、前記各被収納物を筒状体の内部に保持する物品保持手段とを有するカートンにおいて、
前記各壁パネルのうち１つの第１壁パネルは、この第１壁パネルに隣位する両壁パネルとの境界に位置する両端縁を跨ぐ第１分断線によって分断され、それぞれ第１分断パネルとされており、
前記各第１分断パネルは、前記第１壁パネルに対向して配置される壁パネルからの距離寸法が異なるように階段状に配置されていることを特徴とするカートン。
【請求項２】
前記第１壁パネルは、頂壁を構成する壁パネルであり、前記物品保持手段は、前記第１壁パネルの側縁において、前記第１壁パネルの外側に突出して配置され、前記筒状体の内部方向に折曲可能に連設された端パネルにより構成されており、
前記筒状体の内部方向に折曲された端パネルが、前記筒状体の開口に臨む位置に収納された前記被収納物の壁面を支持して、前記被収納物を前記筒状体の内部に保持することを特徴とする請求項１に記載のカートン。
【請求項３】
前記各壁パネルのうち前記第１壁パネルに隣位する第２壁パネルは、前記第１分断線の端部を基端とし、この第２壁パネルにおける両端縁を跨ぐ第２分断線によって分断されて、それぞれ第２分断パネルとされており、
前記各第２分断パネルは、前記第２壁パネルに対向して配置される壁パネルからの距離寸法が異なるように階段状に配置されることを特徴とする請求項１または請求項２に記載のカートン。
【請求項４】
第１壁パネルと、前記第１壁パネルの一端縁に連設される第２壁パネルと、前記第２壁パネルの一端縁に連設される第３壁パネルと、前記第３壁パネルの一端縁に連設される第４壁パネルを有し、前記各壁パネルは、前記第１壁パネルおよび前記第４壁パネルを接続することにより両端が開口され、内部に複数の被収納物を収納する筒状体を形成するようになっており、
前記各壁パネルにおける前記筒状体を形成したときの前記開口側の側縁に、前記被収納物を前記筒状体の内部に保持する物品保持手段が連設されたカートンブランクにおいて、
前記第１壁パネルは、この第１壁パネルの両端縁を跨ぐ第１分断線によって分断されて、それぞれ第１分断パネルとされており、
前記第１壁パネルおよび前記第２壁パネルの境界に位置する端縁は途中で分断され、この分断された各分断端縁は前記第３壁パネルからの長さ寸法が異なるように配置されるとともに、前記第４壁パネルの一端縁は途中で分断され、この分断された各分断端縁は前記第３壁パネルからの長さ寸法が異なるように配置されており、
前記第１壁パネルおよび前記第２壁パネルの境界に位置する前記各分断端縁、および前記第４壁パネルの他端縁に位置する前記各分断端縁における、前記各壁パネルによって前記筒状体を形成したときに前記第１壁パネルを介して対向して配置される前記各分断端縁は、それぞれ前記第３壁パネルからの長さ寸法が同一となる位置に配置されていることを特徴とするカートンブランク。
【請求項５】
前記第１壁パネルは、前記被収納物の頂面を被覆する頂壁を構成する壁パネルであり、前記物品保持手段は、前記第１壁パネルにおける前記開口側の側縁において、前記第１壁パネルの外側へ突出して配置され、折曲線を介して連設された端パネルにより構成されていることを特徴とする請求項４に記載のカートンブランク。
【請求項６】
前記第２壁パネルは、前記第１分断線を基端として、この第２壁パネルにける両端縁を跨ぐ第２分断線によって分断されて、それぞれ第２分断パネルとされており、
前記第２壁パネルおよび前記第２壁パネルの境界に位置する端縁は分断され、この分断された各分断端縁は、前記第４壁パネルからの長さ寸法が異なる位置に配置されているとともに、前記各壁パネルによって前記筒状体を形成したときに前記第２壁パネルを介して対向して配置される前記第１壁パネルおよび前記第２壁パネルの境界に位置する前記各分断端縁と、それぞれ前記第４壁パネルからの長さ寸法が同一となる位置に配置されていることを特徴とする請求項４または請求項５に記載のカートンブランク。
【考案の詳細な説明】
【技術分野】
【０００１】
本考案は、両端が開口された筒状体を有し、筒状体の内部に高さ寸法ならびに幅寸法が異なる複数の被収納物を収納可能なカートンおよびこのカートンを形成するカートンブランクに関する。
【背景技術】
【０００２】
従来より、両端が開口された筒状体の内部に高さ寸法が異なる複数の缶等の被収納物をまとめて収納するカートンが、高さ寸法が異なる複数の物品の保管・運搬の容易性等の観点から用いられている。
【０００３】
従来のカートンは、例えば特許文献１および特許文献２に示すように、頂壁と、この頂壁の両端縁にそれぞれ折曲自在に連設されることにより対向して配置される一対の側壁と、両側壁の下側縁にそれぞれ折曲自在に連設された底壁とを有し、両端が開口された筒状体を備えている。
【０００４】
このような従来のカートンのうち特許文献１に記載されたカートンは、頂壁の一側縁および底壁の両側縁に、底壁の外側に突出して配置され、筒状体の内部方向に折曲可能に連設され、被収納物を筒状体の内部に保持する物品保持手段として機能する端パネルを有している。また、頂壁の開口側の一側縁には、筒状体の開口の一部を閉鎖する中間パネルが折曲可能に連設されている。側壁の側縁の一部分には、カートンブランクの状態において中間パネルの両端縁に隣位するように配置された補強パネルが折曲可能に連設されており、中間パネルの一側縁には、物品保持手段として機能する端パネルが、中間パネルの外側に突出して配置され、筒状体の内部方向に折曲可能に連設されている（特許文献１、図６参照）。
【０００５】
そして、このカートンによれば、筒状体の内部における中間パネルが設けられていない開口側に、高さ寸法が異なる複数の被収納物のうち高い高さ寸法の被収納物を位置させ、頂壁および底壁に連設された端パネルを筒状体の内部方向に折曲し、両端パネルの先端縁によって筒状体の開口に臨む位置に収納された被収納物の頂面および底面を支持することにより、被収納物を筒状体の内部に保持するようになっている。また、中間パネルが設けられている開口側に、低い高さ寸法の被収納物を位置させ、中間パネルに連設された端パネルおよび底壁に連設された端パネルを筒状体の内部方向に折曲し、両端パネルの先端縁によって筒状体の開口に臨む位置に収納された被収納物の頂面および底面を支持することにより、被収納物を筒状体の内部に保持するようになっている。さらに、中間パネルに接続される補強パネルにより中間パネルを補強し、この補強パネルによって補強された中間パネルにより、低い高さ寸法の被収納物の頂面を支持する端パネルを支持するようになっている（特許文献１、図１、図２参照）。
【０００６】
また、前記従来のカートンのうち特許文献２に記載されたカートンは、頂壁の開口側の一側縁に折曲可能に連設され、筒状体の開口の一部を閉鎖する第１中間パネルと、筒状体の内部に収納された低い高さ寸法の被収納物の頂面に対向する位置に配置される第２中間パネルを有している。第２中間パネルは、頂壁の一端縁に連結パネルを介して折曲可能に連設されており、低い高さ寸法法の被収納物の頂面を支持する物品保持手段としての端パネルは、第２中間パネルの一端縁に折曲可能に連設されている。さらに、第１中間パネルの一側縁には、第１中間パネルを第２中間パネルと連結するための接続パネルが折曲可能に連設されており、側壁の側縁の一部分には、カートンブランクの状態において中間パネルの両端縁に隣位するように配置された補強パネルが、折曲可能に連設されている（特許文献２、図１参照）。
【０００７】
そして、このカートンによれば、筒状体の内部に収納された高さ寸法が異なる複数の被収納物のうち低い高さ寸法の被収納物の頂面に対向するように第２中間パネルを位置させるとともに、第２中間パネルに連設された端パネルを筒状体の内部方向に折曲し、被収納物の頂面を支持するようになっている。また、第１中間パネルに接続される補強パネルにより第１中間パネルを補強するとともに、接続パネルを介して第２中間パネルに連結される第１中間パネルにより第２中間パネルを補強し、この第１中間パネルに補強された第２中間パネルにより、低い高さ寸法の頂面を支持する端パネルを支持するようになっている（特許文献２、図２、図６参照）。
【先行技術文献】
【特許文献】
【０００８】
【特許文献１】特許第２６８７２４８号公報
【特許文献２】特許第３６３８７８７号公報
【考案の概要】
【考案が解決しようとする課題】
【０００９】
このように、前述のような従来のカートンにおいては、低い高さ寸法の被収納物の頂面を支持するための端パネルが、中間パネルやこの中間パネルを補強する補強パネル等複数のパネルによって支持されていた。したがって、このようなカートンによれば、カートンを構成するための材料として、筒状体を形成するための頂壁、一対の側壁、底壁を構成する各壁パネル、および物品保持手段を構成するパネルの他に、低い高さ寸法の被収納物の頂面を保持するための複数のパネルの材料が必要となり、カートンの製造コストが上昇してしまうという問題を有していた。
【００１０】
本考案はこれらの点に鑑みてなされたものであり、高さ寸法や幅寸法が異なる複数の被収納物を収納するカートンにおいて、各収納物をカートンにおける筒状体の内部に保持するとともに、カートンを構成する材料の節約を図ることが可能なカートンおよびカートンブランクを提供することを目的とする。
【課題を解決するための手段】
【００１１】
前記目的を達成するため、本考案に係るカートンの特徴は、頂壁、一対の側壁、および底壁をそれぞれ構成する各壁パネルが順次連設され、両端が開口されて、内部に複数の収納物を収納する筒状体と、前記筒状体における前記開口側の側縁に設けられ、前記各被収納物を筒状体の内部に保持する物品保持手段とを有するカートンにおいて、前記各壁パネルのうち１つの第１壁パネルは、この第１壁パネルに隣位する両壁パネルとの境界に位置する両端縁を跨ぐ第１分断線によって分断され、それぞれ第１分断パネルとされており、前記各第１分断パネルは、前記第１壁パネルに対向して配置される壁パネルからの距離寸法が異なるように階段状に配置されている点にある。
【００１２】
この本考案に係るカートンによれば、前述した従来の高さ寸法が異なる複数の被収納物を収納するカートンと比較して、複数の中間パネルや補強パネル等を用いることなく、第１分断パネルを階段状に配置するとともに、筒状体の開口側に物品保持手段を設けることにより、高さ寸法または幅寸法が異なる複数の被収納物を、筒状体の内部に保持しながら収納することができる。これにより、本考案に係るカートンは、カートンを構成する材料の節約を図ることができる。
【００１３】
また、前記カートンにおいて、前記第１壁パネルは、頂壁を構成する壁パネルであり、前記物品保持手段は、前記第１壁パネルの側縁において、前記第１壁パネルの外側に突出して配置され、前記筒状体の内部方向に折曲可能に連設された端パネルにより構成されており、前記筒状体の内部方向に折曲された端パネルが、前記筒状体の開口に臨む位置に収納された前記被収納物の壁面を支持して、前記被収納物を前記筒状体の内部に保持するようにしてもよい。
【００１４】
このような構成を採用することにより、物品保持手段を、第１壁パネルの側縁において、第１壁パネルの外側に突出して配置され、筒状体の内部方向に折曲可能に連設された端パネルのみによって構成することができるので、さらに、カートンを構成する材料の節約を図ることができる。
【００１５】
さらに、前記カートンにおいて、前記各壁パネルのうち前記第１壁パネルに隣位する第２壁パネルは、前記第１分断線の端部を基端とし、この第２壁パネルにおける両端縁を跨ぐ第２分断線によって分断されて、それぞれ第２分断パネルとされており、前記各第２分断パネルは、前記第２壁パネルに対向して配置される壁パネルからの距離寸法が異なるように階段状に配置されていてもよい。
【００１６】
このような構成を採用することにより、従来のように中間パネルや補強パネル等を用いることなく、第１分断パネルおよび第２分断パネルを階段状に配置するとともに、筒状体の開口側に物品保持手段を設けることにより、高さ寸法および幅寸法が異なる複数の被収納物を、筒状体の内部に保持しながら収納することができる。これにより、本考案に係るカートンは、カートンを構成する材料の節約を図ることができる。
【００１７】
本考案に係るカートンブランクの特徴は、第１壁パネルと、前記第１壁パネルの一端縁に連設される第２壁パネルと、前記第２壁パネルの一端縁に連設される第３壁パネルと、前記第３壁パネルの一端縁に連設される第４壁パネルを有し、前記各壁パネルは、前記第１壁パネルおよび前記第４壁パネルを接続することにより両端が開口され、内部に複数の被収納物を収納する筒状体を形成するようになっており、前記各壁パネルにおける前記筒状体を形成したときの前記開口側の側縁に、前記被収納物を前記筒状体の内部に保持する物品保持手段が連設されたカートンブランクにおいて、前記第１壁パネルは、この第１壁パネルの両端縁を跨ぐ第１分断線によって分断されて、それぞれ第１分断パネルとされており、前記第１壁パネルおよび前記第２壁パネルの境界に位置する端縁は途中で分断され、この分断された各分断端縁は前記第３壁パネルからの長さ寸法が異なるように配置されるとともに、前記第４壁パネルの一端縁は途中で分断され、この分断された各分断端縁は前記第３壁パネルからの長さ寸法が異なるように配置されており、前記第１壁パネルおよび前記第２壁パネルの境界に位置する前記各分断端縁、および前記第４壁パネルの他端縁に位置する前記各分断端縁における、前記各壁パネルによって前記筒状体を形成したときに前記第１壁パネルを介して対向して配置される前記各分断端縁は、それぞれ前記第３壁パネルからの長さ寸法が同一となる位置に配置されている点にある。
【００１８】
この本考案に係るカートンブランクによれば、前述のような従来の高さ寸法が異なる複数の被収納物を収納するカートンと比較して、複数の中間パネルや補強パネル等を用いることなく、第１分断パネルを階段状に配置するとともに、筒状体の開口側に物品保持手段を設けることにより、高さ寸法または幅寸法が異なる複数の被収納物を、筒状体の内部に保持しながら収納するカートンを形成することができる。これにより、本考案に係るカートンブランクは、カートンを構成する材料の節約を図ることができる。
【００１９】
また、前記カートンブランクにおいて、前記第１壁パネルは、前記被収納物の頂面を被覆する頂壁を構成する壁パネルであり、前記物品保持手段は、前記第１壁パネルにおける前記開口側の側縁において、前記第１壁パネルの外側へ突出して配置され、折曲線を介して連設された端パネルにより構成されてもよい。
【００２０】
このような構成を採用することにより、物品保持手段を第１壁パネルの側縁において、第１壁パネルの外側に突出して配置され、筒状体の内部方向に折曲可能に連設された端パネルのみによって構成することができるので、さらに、カートンを構成する材料の節約を図ることができる。
【００２１】
さらに、前記カートンブランクにおいて、前記第２壁パネルは、前記第１分断線を基端として、この第２壁パネルにける両端縁を跨ぐ第２分断線によって分断されて、それぞれ第２分断パネルとされており、前記第２壁パネルおよび前記第２壁パネルの境界に位置する端縁は分断され、この分断された各分断端縁は、前記第４壁パネルからの長さ寸法が異なる位置に配置されているとともに、前記各壁パネルによって前記筒状体を形成したときに前記第２壁パネルを介して対向して配置される前記第１壁パネルおよび前記第２壁パネルの境界に位置する前記各分断端縁と、それぞれ前記第４壁パネルからの長さ寸法が同一となる位置に配置されてもよい。
【００２２】
このような構成を採用することにより、従来のように中間パネルや補強パネル等を用いることなく、第１分断パネルおよび第２分断パネルを階段状に配置するとともに、筒状体の開口側に物品保持手段を設けることにより、高さ寸法および幅寸法が異なる複数の被収納物を、筒状体の内部に保持しながら収納するカートンを形成することができる。これにより、本考案に係るカートンブランクは、カートンを構成する材料の節約を図ることができる。
【考案の効果】
【００２３】
以上述べたように、本考案に係るカートンおよびカートンブランクによれば、高さ寸法や幅寸法が異なる複数の被収納物を収納するカートンにおいて、各被収納物をカートンにおける筒状体の内部に保持するとともに、カートンを構成する材料の節約を図ることができる。
【図面の簡単な説明】
【００２４】
【図１】本考案に係るカートンブランクの一実施形態を示す平面図
【図２】図１のカートンブランクにより形成したカートンを示す斜視図
【図３】本考案に係るカートンブランクの他の実施形態を示す平面図
【図４】本考案に係るカートンブランクのさらに他の実施形態を示す平面図
【図５】図４のカートンブランクにより形成したカートンを示す斜視図
【図６】本考案に係るカートンブランクのさらに他の実施形態を示す平面図
【図７】図６のカートンブランクにより形成したカートンを示す斜視図
【考案を実施するための形態】
【００２５】
以下、本考案に係るカートンおよびカートンブランクの実施形態を、図１乃至図７を参照して説明する。
【００２６】
図１は、本考案に係るカートンブランクの一実施形態を示す平面図であり、図２は、図１に示すカートンブランクにより形成した本考案に係るカートンを示す斜視図である。
【００２７】
図１に示すように、本考案に係るカートンブランク１は、頂壁２Ａ、一対の側壁２Ｂ、２Ｃ、および底壁２Ｄを構成する各壁パネル２を有している。
【００２８】
各壁パネル２のうち第１壁パネル（頂壁）２Ａの一端縁３２には、第２壁パネル（一方の側壁）２Ｂが折曲可能に連設され、側壁２Ｂの一端縁３３には、傾斜壁１７を介して第３壁パネル（底壁）２Ｄが折曲可能に連設され、底壁２Ｄの一端縁３４には、傾斜壁２３を介して第４壁パネル（他方の側壁）２Ｃが折曲可能に連設されている。各壁パネル２は、図２に示すように、頂壁２Ａおよび他方の側壁２Ｃを連結することにより、カートン６を構成する筒状体３を形成するようになっており、筒状体３の両端は開口５とされ、筒状体３の内部には、高さ寸法が異なる複数の被収納物Ｄが収納されるようになっている。また、各壁パネル２における筒状体３を形成したときの開口５側の側縁には、被収納物Ｄを筒状体３の内部に保持する物品保持手段７、１８が設けられている。
【００２９】
頂壁２Ａは、頂壁２Ａの一端縁３２および他端縁３６を跨ぐ第１分断線（頂壁分断線）９によって２つに分断され、それぞれ第１分断パネル（頂壁分断パネル２Ａａ、２Ａｂ）とされている。頂壁２Ａの開口５側の両側縁に設けられた物品保持手段７は、頂壁２Ａの外側に突出するように形成され、頂壁２Ａにおける開口５側の側縁に折曲線１０を介して連設された端パネル１１により構成されている。また、各頂壁分断パネル２Ａａ、２Ａｂのほぼ中央部には、それぞれ折曲線１２ａとこの折曲線１２ａの両端部を連結する円弧状の切込み線１２ｂとによって構成された折曲片１２が形成されている。両折曲片１２は、それぞれ切込み線１２ｂが対向するように配置されており、この折曲片１２を筒状体３の内部に押し込むように折曲することにより、指挿入孔が構成されるようになっている。
【００３０】
一方の側壁２Ｂと頂壁２Ａとの境界に位置する端縁３２は、頂壁分断線９によって分断されて各分断端縁３２ａ、３２ｂとされており、各分断端縁３２ａ、３２ｂは、それぞれ底壁２Ｄからの長さ寸法Ｌａ、Ｌｂが異なる位置に段違いに配置されている。そして、両頂壁分断パネル２Ａａ、２Ａｂおよび一方の側壁２Ｂは、それぞれ各分断端縁３２ａ、３２ｂを介して連設されている。
【００３１】
また、一方の側壁２Ｂには、一側縁部分から他側縁部分に向かって伸びる一対の断続切断線１６ａが形成されており、一方の側壁２Ｂにおける両断続切断線１６ａの間に位置する部分は、切取パネル１６とされている。この切取パネル１６の途中部分には、両断続切断線１６ａを跨ぐ接離線１６ｂが形成されており、切取パネル１６は、この接離線１６ｂを基端としてそれぞれ一方の側壁２Ｂの側縁方向に引っ張られることにより、一方の側壁２Ｂから切り取られるようになっている。
【００３２】
一方の側壁２Ｂの一端縁３３には、傾斜壁１７が折曲可能に連設され、傾斜壁１７は底壁２Ｄに折曲可能に連設されており、これにより、一方の側壁２Ｂおよび底壁２Ｄは、傾斜壁１７を介して連設されている。
【００３３】
底壁２Ｄの開口５側の両側縁には、物品保持手段１８が設けられており、物品保持手段１８は、それぞれ底壁２Ｄの側縁において、底壁２Ｄの外側に突出して配置され、折曲線１９を介して連設された端パネル２０により構成されている。また、底壁２Ｄにも、折曲線２２ａとこの折曲線２２ａの両端部を連結する円弧状の切込み線２２ａとによって構成された一対の折曲片２２が、底壁２Ｄの幅方向に並列して形成されている。両折曲片２２は、それぞれ切込み線２２ｂが対向するように配置されており、この折曲片２２を筒状体３の内部に押し込むように折曲することにより、指挿入孔が構成されるようになっている。
【００３４】
底壁２Ｄの一端縁３４は、傾斜壁２３に折曲可能に連設され、傾斜壁２３は他方の側壁２Ｃに折曲可能に連設されており、これにより、底壁２Ｄおよび他方の側壁２Ｃは、傾斜壁２３を介して連設されている。
【００３５】
他方の側壁２Ｃにおける底壁２Ｄに連設されている端縁３４と反対側の端縁３５は、途中で分断されており、この分断された各分断端縁３５ａ、３５ｂは、それぞれ底壁２Ｄからの長さ寸法Ｌａ、Ｌｂが異なる位置に段違いに配置されている。
【００３６】
そして、この他方の側壁２Ｃの端縁３５に位置する各分断端縁３５ａ、３５ｂ、および頂壁２Ａと一方の側壁２Ｂとの境界に位置する各分断端縁３２ａ、３２ｂのうち、各壁パネル２によって筒状体３を形成したときに頂壁２Ａを介して対向して配置される分断端縁３２ａ、３５ａと、分断端縁３２ｂ３５ｂとは、それぞれ底壁２Ｄからの長さ寸法が同一となるように配置されている。
【００３７】
また、本実施形態においては、他方の側壁２Ｃの一端縁３５に、他方の側壁２Ｃと頂壁２Ａとを連結するための接続用パネル２６が連設されている。接続用パネル２６は、接続パネル分断線２７によって２つに分断され、それぞれ接続用分断パネル２６ａ、２６ｂとされており、両接続用分断パネル２６ａ、２６ｂは、それぞれ分断端縁３５ａ、３５ｂを介して他方の側壁２Ｃに連設されている。
【００３８】
そして、図２に示すように、各壁パネル２は、接続用パネル２６によって頂壁２Ａおよび他方の側壁２Ｃを連結することにより、頂壁２Ａ、一対の側壁２Ｂ、２Ｃおよび底壁２Ｄが順次連設された筒状体３を構成するようになっており、これにより、頂壁分断パネル２Ａａ、２Ａｂの他端縁３６ａ、３６ｂは、それぞれ他方の側壁２Ｃの分断端縁３５ａ、３５ｂを介して他方の側壁２Ｃに連設されるようになっている。そして、頂壁分断パネル２Ａａ、２Ａｂは、底壁２Ｄからの距離寸法が異なるように、階段状に配置されるようになっている。
【００３９】
なお、本実施形態において、接続用分断パネル２６ａ、２６ｂは、他方の側壁２Ｃに連設されているが、本考案はこれに限定されるものではなく、例えば、図３に示すように、頂壁２Ａにおける各頂壁分断パネル２Ａａ、２Ａｂの端縁３６ａ、３６ｂに折曲可能に連設されていてもよい。
【００４０】
また、図４および図５に示すように、頂壁２Ａと一方の側壁２Ｂとの境界に位置する分断端縁３２ａ、３２ｂの底壁からの長さ寸法Ｌａ、Ｌｂ、および他方の側壁２Ｃの分断端縁３５ａ、３５ｂの底壁２Ｄからの長さ寸法Ｌａ、Ｌｂをそれぞれ調整することにより、種々の異なる高さ寸法の被収納物Ｄを収納することに対応することが可能である。
【００４１】
次に、本実施形態に係るカートンブランク１により形成されたカートン６について説明する。
【００４２】
図２に示すように、本実施形態に係るカートン６は、接続用パネル２６によって頂壁２Ａおよび他方の側壁２Ｃを連結することにより、頂壁２Ａ、一対の側壁２Ｂ、２Ｃおよび底壁２Ｄをそれぞれ構成する各壁パネル２が順次連設され、両端に開口５が形成された筒状体３を有している。
【００４３】
そして、両頂壁分断パネル２Ａａ、２Ａｂは、各分断端縁３２ａ、３２ｂを介して一方の側壁２Ｂに連結されるとともに、各分断端縁３５ａ３５ｂを介して他方の側壁２Ｃに連結されて、底壁２Ｃからの距離寸法が異なるように階段状に配置されている。
【００４４】
筒状体３の内部には、高さ寸法が異なる複数の被収納物Ｄのうち高い高さ寸法の被収納物Ｄａが、その頂面の一部が頂壁分断パネル２Ａａに被覆される位置に収納され、低い高さ寸法の被収納物Ｄｂが、その頂面の一部が頂壁分断パネル２Ａｂに被覆される位置に収納されている。
【００４５】
そして、頂壁２Ａの両側縁に連設された両端パネル１１は、筒状体３の内部方向に折曲されることにより、両端パネル１１の先端縁によって筒状体３の開口５に臨む位置に収納された被収納物Ｄの頂面を支持するようになっている。さらに、底壁２Ｄの両側縁に連設された両端パネル２０は、筒状体３の内部方向に折曲されることにより、両端パネル２０の先端縁によって筒状体３の開口５に臨む位置に収納された被収納物Ｄの底面を支持するようになっている。これにより、各端パネル１１、２０は、被収納物Ｄを筒状体３の内部に保持するようになっている。
【００４６】
これにより、カートン６は、高さ寸法の異なる複数の被収納物Ｄを、各端パネル１１、２０によって筒状体３の内部に保持しながら、収納することができるようになっている。
【００４７】
このように、本実施形態によれば、前述した従来の高さ寸法が異なる複数の被収納物を収納するカートンと比較して、複数の中間パネルや補強パネル等を用いる必要がなく、両頂壁分断パネル２Ａａ、２Ａｂを、底壁２Ｄからの長さ寸法が異なるように階段状に配置するとともに、頂壁２Ａの側縁に物品保持手段７を設けることにより、高さ寸法が異なる複数の被収納物Ｄを、筒状体３の内部に保持しながら収納することができる。
【００４８】
したがって、本実施形態に係るカートン６およびカートンブランク１によれば、高さ寸法が異なる複数の被収納物Ｄを収納する場合において、各被収納物Ｄを筒状体３の内部に保持するとともに、カートン６を構成する材料の節約を図ることが可能となり、カートン６の製造コストの低廉化を図ることができる。
【００４９】
また、本実施形態に係るカートン６およびカートンブランク１によれば、物品保持手段７を、頂壁２Ａの側縁において、頂壁２Ａの外側に突出して配置され、筒状体３の内部方向に折曲可能に連設された端パネル１１のみによって構成することができるので、さらに、カートン６を構成する材料の節約を図ることが可能となる。
【００５０】
なお、本実施形態においては、第１壁パネル２によって頂壁２Ａが構成され、第２壁パネル２および第４壁パネル２によって一対の側壁２Ｂ、２Ｃがこうせいされ、さらに第３壁パネル２によって底壁２Ｄが構成されているが、本考案は、これに限定されるものではなく、いずれの壁パネル２によって頂壁２Ａ、一対の側壁２Ｂ、２Ｃ、底壁２Ｄを構成してもよい。たとえば、本考案に係るカートンにおいて、第１、第３壁パネルによって両側壁を構成し、第２、第４壁パネルによって頂壁および底壁をそれぞれ構成することにより、高さ寸法が同一で幅寸法のみが異なる複数の被収納物を収納することができる。このようなカートンにおいて、物品保持手段として、壁パネルの側縁に、壁パネルの外側へ突出して配置される端パネルを用いる場合、この端パネルは、第２、第４壁パネルによって構成される頂壁、底壁に設けられるとよい。
【００５１】
また、このように、本実施形態においては、両側壁２Ｂ、２Ｃは、底壁２Ｄとそれぞれ傾斜壁１７、２３を介して連設され、また、一方の側壁２Ｂには切取パネル１６が形成されており、さらに頂壁２Ａおよび底壁２Ｄには指挿入孔が形成されているが、傾斜壁１７、２３、切取パネル１６、指挿入孔の形状、配置位置、有無について、本考案は本実施形態に限定されるものではない。
【００５２】
さらに、物品保持手段７、１８の形状は、本実施形態の形状に限定されるものではない。例えば、物品保持手段１８を、図４に示すように、底壁２Ｄの両側縁に、底壁２Ｄの外側に突出して配置され、第１折曲線１９を介して連設された端パネル２０と、底壁２Ｄの両端部分において、第１折曲線１９ａに並列して第１折曲線１９よりも低い高さ寸法とされた第２折曲線２１ａの両端部を基端として第１折曲線１９の方向に突出し、先端が端パネル２０に到達する円弧状の切込み線２１ｂによって形成される補助タブ２１とにより構成してもよい。
【００５３】
続いて、本考案に係るカートン６およびカートンブランク１の第２の実施形態を図６および図７を参照して説明する。なお、第２の実施形態において、第１の実施形態と同様の構成については詳説を省略し、同一の符号を用いて説明する。また、第２の実施形態においても、第１壁パネル２によって頂壁２Ａを構成し、第２、第４壁パネル２によって側壁２Ｂ、２Ｃを構成し、第３壁パネル２によって底壁２Ｄを構成する場合を用いて説明する。
【００５４】
図６は、本考案に係るカートンブランク１の第２の実施形態を示す平面図であり、図７は、図６に示すカートンブランク１により形成した本考案に係るカートン６を示す斜視図である。
【００５５】
図６に示すように、一方の側壁２Ｂは、頂壁２Ａに形成された頂壁分断線９を基端として、この一方の側壁２Ｂにおける両端縁３２、３３を跨ぐ第２分断線（側壁分断線）３１によって分断され、それぞれ第２分断パネル（側壁分断パネル）２Ｂａ、２Ｂｂとされている。
【００５６】
また、底壁２Ｄにおける一方の側壁２Ｂとの境界に位置する端縁３３は、途中で分断されており、この分断された各分断端縁３３ａ、３３ｂは、他方の側壁２Ｃからの長さ寸法Ｌｃ、Ｌｄが異なる位置であって、各壁パネル２によって筒状体３を構成したときに一方の側壁２Ｂを介して対向して配置される頂壁２Ａと一方の側壁２Ｂとの境界に位置する分断端縁３２ａ、３２ｂと、他方の側壁２Ｃからの長さ寸法が同一となるように段違いに配置されている。
【００５７】
そして、各側壁分断パネル２Ｂａ、２Ｂｂは、それぞれ分断端縁３３ａ、３３ｂを介して底壁２Ｄに連設されている。
【００５８】
また、第２の実施形態においては、頂壁２Ａと他方の側壁２Ｃとを連結する接続用パネル２６を構成する接続用分断パネル２６ａ、２６ｂが、それぞれ頂壁２Ａを構成する頂壁分断パネル２Ａａ、２Ａｂの端縁３６ａ、３６ｂに折曲可能に連設されている。
【００５９】
次に、第２の実施形態に係るカートンブランク１により形成されたカートン６について説明する。
【００６０】
図７に示すように、第２の実施形態に係るカートン６も、第１の実施形態と同様に、接続用パネル２６によって頂壁２Ａおよび他方の側壁２Ｃを連結することにより、頂壁２Ａ、一対の側壁２Ｂ、２Ｃおよび底壁２Ｄをそれぞれ構成する各壁パネル２が順次連結され、両端に開口５が形成された筒状体３を有している。
【００６１】
そして、両側壁分断パネル２Ｂａ、２Ｂｂは、各分断端縁３２ａ、３２ｂを介して両頂壁分断パネル２Ａａ、２Ａｂに連結されるとともに、各分断端縁３３ａ、３３ｂを介して底壁２Ｄに連結されて、他方の側壁２Ｃからの距離寸法が異なるように階段状に配置されている。さらに、両頂壁分断パネル２Ａａ、２Ａｂは、各分断端縁３２ａ、３２ｂを介して一方の側壁２Ｂに連結されるとともに、各分断端縁３５ａ３５ｂを介して他方の側壁２Ｃに連結されて、底壁２Ｃからの距離寸法が異なるように階段状に配置されている。
【００６２】
筒状体３の内部には、高さ寸法および幅寸法が異なる複数の被収納物Ｄのうち高い高さ寸法であって幅が長い被収納物Ｄｃが、その頂面の一部が頂壁分断パネル２Ａａに被覆されるとともに、その側面の一部が側壁分断パネル２Ｂａに被覆される位置に収納されている。また筒状体３の内部には、低い高さ寸法であって幅が短い被収納物Ｄｄが、その頂面の一部が頂壁分断パネル２Ａｂに被覆されるとともに、その側面の一部が側壁分断パネル２Ｂｂに被覆される位置に収納されている。
【００６３】
これにより、カートン６は、高さ寸法および幅寸法の異なる複数の被収納物Ｄを、カートン６における筒状体３の内部に保持しながら収納することができるようになっている。
【００６４】
このように、第２の実施形態によれば、第１の実施形態と同様に、従来のカートンと比較して、複数の中間パネルや補強パネルを設けることなく、両頂壁分断パネル２Ａａ、２Ａｂを、底壁２Ｄからの長さ寸法が異なるように階段状に配置し、かつ両側壁分断パネル２Ｂａ、２Ｂｂを、他方の側壁２Ｃからの長さ寸法が異なるように階段状に配置するとともに、頂壁２Ａの側縁に物品保持手段７を設けることにより、高さ寸法および幅寸法が異なる複数の被収納物Ｄを、筒状体３の内部に保持しながら収納することができる。
【００６５】
したがって、第２の実施形態におけるカートン６およびカートンブランク１によれば、高さ寸法および幅寸法が異なる複数の被収納物Ｄを収納する場合において、各被収納物Ｄを筒状体３の内部に保持するとともに、カートン６を構成する材料の節約を図ることができ、カートン６の製造コストの低廉化を図ることができる。
【００６６】
なお、本発明は前記実施形態に限定されるものではなく、必要に応じて種々変更することが可能である。
【００６７】
例えば、前述した各実施形態においては、高さ寸法および／または幅寸法が異なる２つの被収納物Ｄを収納可能なカートン６およびカートンブランク１について説明したが、本考案はこれに限定されるものではなく、高さ寸法および／または幅寸法が異なる３つ以上の被収納物を収納するカートンおよびカートンブランクに適用することができる。
【符号の説明】
【００６８】
２  壁パネル
２Ａ  頂壁
２Ａａ、２Ａｂ  頂壁分断パネル
２Ｂ、２Ｃ  側壁
２Ｄ  底壁
３  筒状体
５  開口
７  物品保持手段
１０  折曲線
１１  端パネル
１２  折曲片
１２ａ  折曲線
１２ｂ  切込み線
１６  切取パネル
１６ａ  断続切断線
１６ｂ  接離線
１７  傾斜壁
３２ａ、３２ｂ  分断端縁
３５ａ、３５ｂ  分断端縁
Ｄａ、Ｄｂ（Ｄ）  被収納物
【図１】
0003171380.tif 000003
【図２】
0003171380.tif 000004
【図３】
0003171380.tif 000005
【図４】
0003171380.tif 000006
【図５】
0003171380.tif 000007
【図６】
0003171380.tif 000008
【図７】
0003171380.tif 000009